(57)【特許請求の範囲】
【請求項１】
筺体内に設けられたロール状フィルムをモータ駆動による送りローラによって前記筺体の開口部の方向へ送り出す一方、前記開口部付近には前記送り出されたフィルムを幅方向に一括的に切断するための熱カッタが設けられたことによってロール状の帯状フィルムを幅方向の細幅に切断するフィルム切断機であって、前記フィルムの送り幅を検知することによってフィルムの送り動作を間欠的に行う検知器と、前記開口部に送り出されたフィルムの平面性を保つバランスウエイトと、前記熱カッタで切断されるフィルムの平面性を保つように案内する案内ウエイトと、前記熱カッタの出口側でフィルムの平面性を案内する案内ローラとを有することを特徴とする帯封フィルム切断機。
【請求項２】
前記熱カッタは前記筐体に固定されていることを特徴とする請求項１記載の帯封フィルム切断機。
【請求項３】
前記フィルムの送り幅を検知することによってフィルムの送り動作を間欠的に行う検知器は、フィルムの長手方向に沿う縁部に所定間隔に設けられたマーキングを読み取る光センサが用いられ、前記フィルムを前記開口側から引き上げた際に持ち上げられる前記案内ローラの動作に従動してＯＮ・ＯＦＦを行うスイッチとの連携によってフィルムを送り移動するようにしたことを特徴とする請求項1及び２記載の帯封フィルム切断機。
【請求項４】
前記ロール状フィルムを前記熱カッタに送り出す前の所定位置に前記フィルムの静電気除去器が設けられたことを特徴とする請求項1、２及び３記載の帯封フィルム切断機。
【発明の詳細な説明】
【０００１】
【発明の属する技術分野】
本発明は、弁当、惣菜、和菓子等を収容した合成樹脂容器や紙製等のケースを包んで端部を貼り付ける際に、両端に接着剤を設けたロール状の幅広のフィルムを幅方向に細幅に切断する帯封フィルム切断機に関するものである。
【０００２】
【従来の技術】
従来からコンビニエンスストア等で販売されている弁当の包装は、ケース全体を自己粘着性の有る極薄のフィルムで包み、このフィルムをケースの底部で重ね合わせて互いに付着することにより行われていた。
【０００３】
ところが、このようなケースの底部まで粘着したフィルムを剥すのは大変である。しかも、極薄のフィルムには印刷を施すことが困難であり、たとえ印刷を施したとしても皺ができやすいため、印刷面をきれいに読み取れる状態に維持できないという欠点があった。
【０００４】
このため従来の弁当においては、透明蓋の上に内容物や製造年月日を印刷したシールを貼ることによって表示することが行われていた。
【０００５】
しかしながら、このシールに要するコストや、シールを貼り付ける労力、或いは自己粘着性フィルムでケース全体を包む手間等によって弁当の包装作業が厄介なものになっていた。
【０００６】
このような問題点は、弁当の包装だけではなく、惣菜や和菓子等のケースを包む際にも同様の問題となるものである。
【０００７】
【発明が解決しようとする課題】
ところで、弁当、惣菜、和菓子等のケースを包む従来の包装において、ケースを帯状の用紙等で包む場合、この用紙の両端部をビニールテープ等でケースの底部に付着することは面倒な作業となり、大量の包装作業に適するものではなかった。
【０００８】
また、このような帯封を長手方向に巻いてロール状にすると、一巻きのロールから取れる帯封の数は限られているため、帯封をロール状の幅方向にとることが望まれるが、極薄のフィルムは静電気や室内空気の流動等で容易に暴れてしまい、平面性を保って切断することが困難であり、従来から幅の狭いフィルム帯封を店舗等で迅速かつ正確に切断して弁当等の包装に供給することは困難であった。
【０００９】
本発明は、このような事情に鑑みて成されたもので、弁当、惣菜、和菓子等を収容した合成樹脂容器や紙製等のケースを帯封する際に、両端に接着剤を設けたロール状の幅広のフィルムを幅方向に細幅に切断する帯封フィルム切断機を提供することを目的とする。
【００１０】
【課題を解決するための手段】
上記の目的を達成するために、本発明の請求項１の帯封フィルム切断機は、筺体内に設けられたロール状フィルムをモータ駆動による送りローラによって前記筺体の開口部の方向へ送り出す一方、前記開口部付近には前記送り出されたフィルムを幅方向に一括的に切断するための熱カッタが設けられたことによってロール状の帯状フィルムを幅方向の細幅に切断するフィルム切断機であって、前記フィルムの送り幅を検知することによってフィルムの送り動作を間欠的に行う検知器と、前記開口部に送り出されたフィルムの平面性を保つバランスウエイトと、前記熱カッタで切断されるフィルムの平面性を保つように案内する案内ウエイトと、前記熱カッタの出口側でフィルムの平面性を案内する案内ローラとを有することを特徴とする。
【００１１】
また、本発明の請求項２の帯封フィルム切断機は、請求項1において、前記熱カッタは前記筐体に固定されていることを特徴とする。
【００１２】
また、本発明の請求項３の帯封フィルム切断機は、請求項1及び２において、前記フィルムの送り幅を検知することによってフィルムの送り動作を間欠的に行う検知器は、フィルムの長手方向に沿う縁部に所定間隔に設けられたマーキングを読み取る光センサが用いられ、前記フィルムを前記開口側から引き上げた際に持ち上げられる前記案内ローラの動作に従動してＯＮ・ＯＦＦを行うスイッチとの連携によってフィルムを送り移動するようにしたことを特徴とする。
【００１３】
さらに、請求項４の帯封フィルム切断機は、請求項１、２及び３において、前記フィルムを前記熱カッタに送り出す前の所定位置に前記フィルムの静電気除去器を設けられたことを特徴とする。
【００１４】
【発明の実施の形態】
以下、本発明の実施例について図面を参照しながら説明する。
【００１５】
図１に示すように、筺体１は後方が開放され、この後方の底部付近にはフィルム２のロールＲを回動自在に支持する２本のフィルムローラ５ａ、５ｂが互いに平行に設けられているため、フィルム２のロールＲは２本のローラ５ａ、５ｂに載置するだけでセットされる。なお、少なくとも一本のローラ（図面においてはフィルムローラ５ａ）の外周にはロールＲを両側から挟む位置にガイドリング７、７を可動自在に挿着してロールＲの設置位置を固定するようにしている。
【００１６】
フィルム２は、上記のようにロール状に巻回されているが、それを引き伸ばした状況は、図８に示すように、両端の長手方向に沿って接着剤２ｂ、２ｂが施され、またフィルム２の長手方向に沿って所定間隔で文字及び絵柄２ｄが施され、その間の両端には長手方向に沿う均等間隔にマーキング２ａ、２ａ…が施されている。この両端のマーキング２ａ、２ａを結ぶ切断線２ｃで切断することによって文字及び絵柄２ｄを所定間隔ごとに正確に切断することが可能となる。
【００１７】
また、図２に示すように、筐体１の最上端は開閉蓋３がその両端をピン３ａで枢設したことによって開閉自在に設けられ、この開閉蓋３を開けることによって、筐体１の内部を図１に示すように開放することができる。ただし、図１には、開閉蓋３の図示は省略している。
【００１８】
なお、開閉蓋３を閉じた状態は図６に示す通りであり、この図６の切断機は筐体１の後部が開放されたもので、その内部からフィルム２のロールＲを取り出すのが容易である。また、図７は筐体１の後部が閉塞されたもので、フィルム２のロールＲを筐体１内に衛生的に収容し得るものである。
【００１９】
図３に示すように、筺体１のフィルム送出し方向には開口部８が設けられ、この開口部８とフィルムローラ５ａとの間にはモータ（不図示）によって回転駆動される送りローラ１０が設けられている。
【００２０】
また、図１に示すように、送りローラ１０の一端は一方の軸受け部１０ａを介して筺体１内の片側に固設されたギア収納用ボックス１１内の減速ギア１２に接続され、この減速ギア１２が筺体１の収納ボックス１ａ内に設けられたモータの回転軸に接続され、一方、送りローラ１０の他端は他方の軸受け部１０ｂを介してローラ受板１３に回動自在に支承されている。
【００２１】
なお、図３に示すように、送りローラ１０はローラ受板１３に切開された縦溝１３ａに支軸１０ｃを落とし込んで着脱自在に装着するようにしている。
【００２２】
また、送りローラ１０の外周にはフィルム２の送り移動を案内する複数のゴム輪１４、１４…が挿設され、開口部８へ向けて送り出されるフィルム２の滑りを防止するようにしている。
【００２３】
さらに、送りローラ１０の両端であってフィルム２の両端の接着剤２ｂ、２ｂの部位に相当する位置には、非粘着性のコーティングが施された案内輪１４ａ、１４ａが設けられ、これらの案内輪１４ａ、１４ａによってフィルム２の全体にわたり平面性を保って案内するようにしている。
【００２４】
また、図３に示すように、送りローラ１０の上方には押えローラ１８が設けられている。この押えローラ１８は、ボックス１１とローラ受板１３に切開された縦溝１３ｂに支軸１８ａ、１８ｂを落とし込んで着脱自在に装着するようにしたものである。この押えローラ１８によって送りローラ１０の複数のゴム輪１４、１４…にフィルム２を押圧してゴム輪１４、１４…との密着性を向上し、フィルム２の平面性を保った状態で滑りを防止して開口部８の方向へ確実に送り出すことができる。
【００２５】
また、押えローラ１８の支軸１８ａ、１８ｂには、開口部８に送り出されるフィルム２の平面性を保つバランスウエイト２０が筐体１の略全幅に渡って設けられ、回動自在に軸支されることによって通常は自重で垂下した状態にある。
【００２６】
さらに、図２及び図３に示すように、送りローラ１０の外周から筺体１の開口部８の下方に向けて傾斜状にフィルム２の巻き込みを防止する巻込み防止板１６が設けられている。この巻込み防止板１６はその下端部に、図６に示す長穴１６ａが横方向に形成され、ネジ１６ｂで固定すると共に、巻込み防止板１６の横位置を調節することができる。この巻込み防止板１６は固定部位から折曲して傾斜させることによって弾性を設けた状態で開口部８の方向へ伸び、筐体１の底部側に設けられた収納箱１ａの上面後方に沿って固定してある張出板１ｂによって支持されている。
【００２７】
また、フィルムローラ５ａと送りローラ１０との間には、フィルム２に施されたマーキング２ａを読み取ってモータに停止信号を送る検知器１７が設けられている。この検知器１７には光検知器の発信部と受信部とが対向配置され、発信部から発せられた光がフィルム２のマーキング２ａで妨げられたときに、マーキング２ａを検知してモータに停止信号を送り、後述するスイッチ２１との連携によってフィルム２を間欠的に送り移動する。
【００２８】
本装置には、上記のフィルム２を後述する熱カッタ９に送り出す前の所定位置、即ち図３に示すように収納ケース１ａの上部後端側にフィルム２の静電気除去器２８が設けられ、フィルム２の暴れ動作を防止するようにしている。
【００２９】
また、図３に示すように、押えローラ１８の斜め下方には筐体１の両側に回動自在に軸１９ａで軸支された案内ウエイト１９が筐体１の略全幅に渡って設けられ、通常は自重で垂下された状態となっている。この案内ウエイト１９はその上方に被さる形状に折曲して固定された覆い板２３の下端両側に回動自在に設けられている。
【００３０】
さらに、上記のローラ受板１３の下方前端から前方下部にアングル部材１５が固定され、このアングル部材１５にはスイッチ２１が設けられ、スイッチ２１からはスイッチ片２１ａが下方斜め方向に設けられている。このスイッチ２１のスイッチ片２１ａに接触して該スイッチ２１をＯＮ・ＯＦＦする係合位置には案内ローラ２６が設けられている。
【００３１】
案内ローラ２６は、その斜め上方において筐体１の両側に軸支された支持軸２５ａに回動自在に設けられた回動片２５の先端に軸支されたもので、筐体１の略全幅に渡って設けられ、これに接触するフィルム２の平面性を保持させるものであって、通常は自重によって下方へ付勢される。
【００３２】
また、上記の案内ローラ２６の上方近傍には熱カッタ９が設けられている。この熱カッタ９は筐体１の略全幅に渡って設けられ、その上方にて筐体１の内側面に固定された取付板２４に固設されたもので、カッタ９が移動するタイプのものとは異なり、所定位置に固定されたことによってフィルム２に対する切断精度を上げることができる。
【００３３】
この熱カッタ９は先端が鋭利に形成されると共に、背面に付設された電熱線２２で熱カッタ９の歯部に接触したフィルム２を幅方向に熱溶融によって一括的に切断する。
【００３４】
さらに、案内ローラ２６の前方斜め上方には固定ローラ２７が筐体１の略全幅に渡って設けられ、案内ローラ２６が固定ローラ２７に当接するまで移動することができる。案内ローラ２６は固定ローラ２７に当接した時点で上方への移動が規制される。
【００３５】
なお、本実施例の帯封フィルム切断機の前面端部には電源スイッチやフィルム２の送り幅を制御する制御板３１が設けられている。
以上のように構成された帯封フィルム切断機において、フィルム２をセッティングするには、図１に示すようにフィルムローラ５ａ、５ｂ間に載置したフィルム２のロールＲからフィルム２を引き出し、図３に示すように、フィルムローラ５ａの下方から検知器１７の間を通過させた後、送りローラ１０のゴム輪１４及び案内輪１４ａの外周に掛けて開口部８方向にフィルム２の端部を出しておく。
【００３６】
そして、制御板３１の電源スイッチをＯＮすることにより、熱カッタ９の電熱線２２に電流が流されると熱カッタ９が昇温し、またモータが駆動して送りローラ１０が回転することにより、フィルム２が送出し移動を開始する。
【００３７】
次いで、検知器１７がフィルム２のマーキング２ａを読み取った時点でモータが停止されると、フィルム２が開口部８から所定長さだけ送り出された状態で停止する。
【００３８】
この状態で、作業者がフィルム２の両端部を手で持って、図４に示すように熱カッタ９に接触するように引き上げると、フィルム２の面は上記のバランスウエイト２０と案内ウエイト１９に当接してフィルム２の平面性が強制される。
【００３９】
このように平面性を保った状態で送り出されたフィルム２は、出口の案内ローラ２６によって平面性を保った状態で熱カッタ９に接触して幅方向へ一括的に切断される。
【００４０】
このとき案内ローラ２６がスイッチ２１のスイッチ片２１ａから開放されると該スイッチ２１がＯＮされ、モータへ駆動信号が送られると上記のようにフィルム２がロールＲから開口部８の方向へ所定量だけ送り出される。
【００４１】
一方、熱カッタ９の熱溶融によって切断された後のフィルム２は、図５に示すように案内ウエイト１９及びバランスウエイト２０の自重によって下方へ叩かれるように移動する。このときスイッチ２１のスイッチ片２１ａが案内ロール２６の自重移動によって下方へ押されると、スイッチ２１がＯＦＦの位置に復帰する。
また、上記のように切断されたフィルム２は、平面性を保ったまま作業者の両手で広げられ、図９に示すように、例えば弁当のケース３０の上方に当てられ、フィルム２の両端の接着剤２ｂ、２ｂの部位をケース３０の底面に当てることによって接着され、図１０に示すように、ケース３０の上面に文字や絵柄を表示した状態で帯封が成される。
【００４２】
【発明の効果】
以上説明したように、本発明の帯封フィルム切断機は、筺体内に設けられたロール状フィルムをモータ駆動による送りローラによって筺体の開口部の方向へ送り出す一方、開口部付近には送り出されたフィルムを幅方向に一括的に切断するための熱カッタが設けられたことによってロール状の帯状フィルムを幅方向の細幅に切断するフィルム切断機であって、フィルムの送り幅を検知することによってフィルムの送り動作を間欠的に行う検知器と、開口部に送り出されるフィルムの平面性を保つバランスウエイトと、熱カッタで切断される状態のフィルムの平面性を保つように案内する案内ウエイトと、熱カッタの出口側でフィルムの平面性を案内する案内ローラとを有することにより、熱カッタで切断される際のフィルムの平面性を強制した状態で幅方向への一括的な切断が行われ、しかも開口部の出口に設けられた案内ローラによって平面性を保ったまま作業者の両手で張った状態にして提供されるため、正確且つ平面性を保った状態で所定位置における切断が行われる。
【００４３】
このように切断されたフィルムは、例えば弁当のケースに帯掛けすると共にケースの底面にフィルムの両端の接着剤を当てることによって容易且つ迅速に帯封が成され、ケースの上面にフィルムに印刷された文字や絵柄を綺麗に表示することが可能となる。
【００４４】
また、このような帯封フィルムによるケースの包装は、これを解く際にも容易であり、底面の接着部を剥しとるだけで容易に取り外すことが可能である。
【００４５】
上記の本発明の帯封フィルム切断機によれば、ロール状のフィルムを幅方向に細幅で正確に切断することができるため、一巻きのロールから大量の帯封を得ることができ、コスト面でも有利となる帯封を店舗等で迅速かつ正確に切断して、弁当等の包装に供給することが可能となる。
【００４６】
また、本発明の帯封フィルム切断機は、弁当のほかに、惣菜、和菓子等を収容した合成樹脂容器や紙製等のケースをフィルム帯封で包んで、その帯封の上面に印刷を施すことが可能であり、意匠性にも優れた帯封を多方面の包装に利用することが可能となる。
【図面の簡単な説明】
【図１】本発明による帯封フィルム切断機の蓋を開放した状態の後方からの全体斜視図である。
【図２】本発明による帯封フィルム切断機の前方からの斜視図であって、開閉蓋を開放した状況を示す。
【図３】本発明による帯封フィルム切断機の内部を示す断面図である。
【図４】本発明による帯封フィルム切断機の熱カッタ周辺の部分断面図であり、フィルムが熱カッタに当たった状態を示す。
【図５】本発明による帯封フィルム切断機の熱カッタ周辺の部分断面図であり、フィルムが熱カッタで切断された直後の状態を示す。
【図６】本発明による帯封フィルム切断機の前方斜視図であって、後部が開放されたタイプの筐体を示す。
【図７】本発明による帯封フィルム切断機の前方斜視図であり、後部が閉塞されたタイプの筐体を示す。
【図８】本発明に用いられる帯状フィルムの平面図である。
【図９】本発明装置によって切断されたフィルムの適用例を示す斜視図である。
【図１０】本発明装置によって切断されたフィルムによる帯封の状態を示す斜視図である。
【符号の説明】
１…筺体
２…フィルム
２ａ…マーキング
２ｂ…接着剤
２ｃ…切断線
８…開口部
９…熱カッタ
１０…送りローラ
１１…ボックス
１２…減速ギア
１３…ローラ受板
１４…ゴム輪
１４ａ…案内輪
１６…巻込み防止板
１７…検知器
１８…押えローラ
１９…案内ウエイト
２０…バランスウエイト
２１…スイッチ
２１ａ…スイッチ片
２２…電熱線
２５…回動片
２６…案内ローラ
２７…固定ローラ
２８…静電気除去器
３０…ケース
【図１】
0003807291.tif 000002
【図２】
0003807291.tif 000003
【図３】
0003807291.tif 000004
【図４】
0003807291.tif 000005
【図５】
0003807291.tif 000006
【図６】
0003807291.tif 000007
【図７】
0003807291.tif 000008
【図８】
0003807291.tif 000009
【図９】
0003807291.tif 000010
【図１０】
0003807291.tif 000011